(57)【要約】【課題】  引張りばねのリベットへの組み付け作業の工程が少なく、引張りばねとリテーナとの干渉を防止でき、ワイパーアーム用の引張りばね位置決め装置、及びこのような装置を備えるワイパーアームを提供する。【解決手段】  アームピースを介してワイパーブレードに連結されるリテーナを、該リテーナに回動可能に連結されたアームヘッドに対して回動方向に付勢させて、ワイパーブレードの被払拭面への押圧力を発生させる引張りばねを、リテーナに対して固定状態に配置可能なシャフト部に引掛ける位置を決める引張りばね位置決め装置において、シャフト部又はリテーナの少なくとも一方に着脱可能に取り付けられる取付け部と、シャフト部又はリテーナの少なくとも一方に、取付け部が取り付けられたときに、引張りばねの一端をシャフト部の所望の位置に案内可能な案内部とを備えているようにする。【選択図】        図２
2008001191.tif 000002
【特許請求の範囲】
【請求項１】
アームピースを介してワイパーブレードに連結されるリテーナを、該リテーナに回動可能に連結されたアームヘッドに対して回動方向に付勢させて、前記ワイパーブレードの被払拭面への押圧力を発生させる引張りばねを、前記リテーナに対して固定状態に配置可能なシャフト部に引掛ける位置を決める引張りばね位置決め装置において、
前記シャフト部又は前記リテーナの少なくとも一方に着脱可能に取り付けられる取付け部と、
前記シャフト部又は前記リテーナの少なくとも一方に、前記取付け部が取り付けられたときに、前記引張りばねの一端を前記シャフト部の所望の部分に案内可能な案内部とを備えたことを特徴とする引張りばね位置決め装置。
【請求項２】
請求項１に記載の引張りばね位置決め装置において、
前記リテーナは、背壁部と、該背壁部の両端のそれぞれから延在する側壁とを備えて、開口部を有する断面コ字形となっており、
前記シャフト部は、前記リテーナの側壁に対向して形成された孔を通して固定されたリベットであり、これによって、前記リベットは、前記リテーナの長手方向に対して交差する方向に沿って延びており、
前記取付け部は、前記リベットを挿入可能な挿入部を備えていることを特徴とする引張りばね位置決め装置。
【請求項３】
請求項２に記載の引張りばね位置決め装置において、
前記挿入部は、前記リベットを保持するためのリベット保持孔と、前記リベットを前記リベット保持孔に案内させるためのリベット案内孔とを備えており、
前記リベット保持孔は、前記リベットの長手方向に沿って延びて、その両端に、前記リテーナの側壁に形成された孔に対向して配置可能な第１及び第２の開口部を有しており、
前記リベット案内孔は、前記リベットの長手方向に沿って延びると共に、前記リベットの長手方向に対して交差する方向に沿って延びて、前記リベット保持孔と連通しており、
前記リベット案内孔は、前記引張りばねの配置側に、前記リベットを嵌入できるように該リベットの長手方向に沿って開口した第３の開口部と、前記リテーナの一方の側壁に沿って開口すると共に前記第１の開口部に連通する第４の開口部と、前記リテーナの他方の側壁に沿って開口すると共に前記第２の開口部に連通する第５の開口部とを有していることを特徴とする引張りばね位置決め装置。
【請求項４】
請求項３に記載の引張りばね位置決め装置において、
前記リベット保持孔は、前記リベットの直径と略等しく、
前記リベット案内孔は、前記リベットの直径よりも小さく、
前記リベット案内孔を広げて、前記リベットを通過させることができるように、前記引張りばね位置決め装置は弾性体から形成されていることを特徴とする引張りばね位置決め装置。
【請求項５】
請求項３に記載の引張りばね位置決め装置において、
前記リベット保持孔は、前記リベットの所望の部分を保持する空所部を有しており、
前記案内部は、前記空所部まで延在する引張りばね案内孔を備えていることを特徴とする引張りばね位置決め装置。
【請求項６】
請求項５に記載の引張りばね位置決め装置において、
前記引張りばね案内孔は、前記空所部を介して、前記リベット保持孔と前記リベット案内孔とに対して交差する方向に延びており、前記リテーナの開口部に向けて開口する第６の開口部と、前記リテーナの背壁部と対向する第７の開口部とを備えていることを特徴とする引張りばね位置決め装置。
【請求項７】
請求項６に記載の引張りばね位置決め装置において、
前記引張りばね案内孔は、さらに、前記引張りばね配置側に、前記第３の開口部と交差する第８の開口部を備えていることを特徴とする引張りばね位置決め装置。
【請求項８】
請求項７に記載の引張りばね位置決め装置において、
前記引張りばね案内孔は、さらに、前記空所部を越えて前記第８の開口部とは反対側に、前記リテーナの長手方向に沿って延びていることを特徴とする引張りばね位置決め装置。
【請求項９】
請求項２に記載の引張りばね位置決め装置において、
前記引張りばね位置決め装置は、
前記リテーナの開口部側に配置される上面部と、前記リテーナの一方の側壁部に沿って前記上面部の一端部から延びる第１の側面部と、前記リテーナの他方の側壁部に沿って前記上面部の他端から延びる第２の側面部とを備えて、断面コの字型をしており、
前記挿入部は、前記リベットを保持するためのリベット保持孔と、前記リベットを前記リベット保持孔に案内させるためのリベット案内孔とを備えており、
前記リベット保持孔は、
前記リテーナの一方の側壁に形成された孔に対向して配置可能な、前記第１の側面部に貫通して形成された第１の保持孔と、
前記リテーナの他方の側壁に形成された孔に対向して配置可能な、前記第２の側面部に貫通して形成された第２の保持孔とを備えており、
前記リベット案内孔は、
前記引張りばねの配置側から前記第１の保持孔まで延び、該第１の保持孔に前記リベットを通すことができる、前記第１の側面部に貫通して形成された第１の案内孔と、
前記引張りばねの配置側から前記第２の保持孔まで延び、該第２の保持孔に前記リベットを通すことができる、前記第２の側面部に貫通して形成された第２の案内孔とを備えており、
前記案内部は、前記引張りばねの配置側から延びる、前記上面部に貫通して形成された引張りばね案内スロットを備えており、
前記リベットが、前記第１及び第２の案内孔を通して前記第１及び第２の保持孔に保持されたときに、前記引張りばね案内スロットを通して前記リベットの所望の部分を臨むことができることを特徴とする引張りばね位置決め装置。
【請求項１０】
請求項３乃至９のいずれか一項に記載の引張りばね位置決め装置において、
前記引張りばね位置決め装置は、前記リベットに前記引張りばねの一端を装着した後、前記リベットから取り外すことを特徴とする引張りばね位置決め装置。
【請求項１１】
請求項２に記載の引張りばね位置決め装置において、
前記挿入部は、前記リベットを保持するためのリベット保持孔を備えており、
前記リベット保持孔は、前記リベットの長手方向に沿って延びて、その両端に、前記リテーナの側壁に形成された孔に対向して配置可能な第１及び第２の開口部を有しており、
前記リベットを前記第１及び第２の開口部を通すことによって、前記リベットを前記リベット保持孔に配置することを特徴とする引張りばね位置決め装置。
【請求項１２】
請求項１１に記載の引張りばね位置決め装置において、
前記リベット保持孔は、前記リベットの所望の部分を保持する空所部を有しており、
前記案内部は、前記空所部まで延在する引張りばね案内孔を備えていることを特徴とする引張りばね位置決め装置。
【請求項１３】
請求項１２に記載の引張りばね位置決め装置において、
前記引張りばね案内孔は、前記空所部を介して、前記リベット保持孔に対して交差する方向に延びており、前記リテーナの開口部に向けて開口する第６の開口部と、前記リテーナの背壁部と対向する第７の開口部とを備えていることを特徴とする引張りばね位置決め装置。
【請求項１４】
請求項１３に記載の引張りばね位置決め装置において、
前記引張りばね案内孔は、さらに、前記引張りばね配置側に開口する第８の開口部を備えていることを特徴とする引張りばね位置決め装置。
【請求項１５】
請求項１４に記載の引張りばね位置決め装置において、
前記引張りばね案内孔は、さらに、前記空所部を越えて前記第８の開口部とは反対側に、前記リテーナの長手方向に沿って延びていることを特徴とする引張りばね位置決め装置。
【請求項１６】
請求項１１乃至１５のいずれか一項に記載の引張りばね位置決め装置において、
前記引張りばね位置決め装置は、前記リベットに前記引張りばねの一端を装着した後、前記リベットに装着状態に保持されることを特徴とする引張りばね位置決め装置。
【請求項１７】
請求項１に記載の引張りばね位置決め装置において、
前記リテーナは、背壁部と、該背壁部の両端のそれぞれから延在する側壁とを備えて、開口部を有する断面コ字形となっており、
前記引張りばね位置決め装置は、前記リテーナの側壁部内面と対向する、互いに離間した一対の側壁部と、前記一対の側壁部を連結する前記シャフト部とを備え、
前記案内部は、前記シャフト部の周囲で前記一対の側壁部内面間に形成された空間部を備えており、
前記引張りばねの一端は、前記空間部を介して、前記シャフト部の所望の部分に引掛けることが可能となっており、
前記取付け部は、前記リテーナの側壁部内面に係合する係合部を備えており、該係合部を前記リテーナの側壁部内面に係合することによって、該引張りばね保持装置を前記リテーナの内側に固定することができ、これによって、前記シャフト部を前記リテーナに対して固定状態に配置できることを特徴とする引張りばね位置決め装置。
【請求項１８】
請求項１７に記載の引張りばね位置決め装置において、
前記シャフト部は、前記リテーナの長手方向に対する交差方向において、前記リテーナの側壁部間の所望の部分に設けられた引掛け部と、該引掛け部の両側に設けられた該引掛け部より拡大した径方向寸法を有する、前記一対の側壁部内面に連結される拡径部とを有しており、
前記引張りばねの一端は、前記空間部を介して、前記シャフト部の引掛け部に引掛けることが可能となっていることを特徴とする引張りばね位置決め装置。
【請求項１９】
請求項１８に記載の引張りばね位置決め装置において、
前記係合部は、凸状の形状をしており、前記リテーナの側壁部内面には、前記凸状の係合部が嵌入する凹状の係合受け部が形成されていることを特徴とする引張りばね位置決め装置。
【請求項２０】
請求項１９に記載の引張りばね位置決め装置において、
前記空間部は、
前記リテーナの長手方向に沿って延びて前記リテーナの開口部側に形成された第９の開口部と、
前記引張りばねと対向する側に形成された第１０の開口部と、
前記リテーナの長手方向に沿って延びて前記リテーナの背壁部側に形成された第１１の開口部とを備えており、
前記引張りばね一端を、前記第９の開口部を介して前記シャフト部の引掛け部に引掛けることができることを特徴とする引張りばね位置決め装置。
【請求項２１】
請求項２０に記載の引張りばね位置決め装置において、
前記一対の側壁部である前記第１及び第２の側壁部は、それぞれ、第１及び第２の弾性部を有しており、該弾性部を押圧して前記引張りばね位置決め装置の幅方向を縮ませて、前記係合部を前記リテーナの側壁部内面に係合可能としたことを特徴とする引張りばね位置決め装置。
【請求項２２】
請求項２３に記載の引張りばね位置位置決め装置において、
前記弾性部は、前記２つの係合部の近接位置にそれぞれ設けられた第１及び第２の空所部からなることを特徴とする引張りばね位置決め装置。
【請求項２３】
請求項２２に記載の引張りばね位置決め装置において、
前記第１の空所部は、前記リテーナの開口部側に開口する第１２の開口部と、前記リテーナの側壁部内面側に開口する第１３の開口部と、前記引張りばねの配置側に開口する第１４の開口部とを備え、前記１２、１３及び１４の開口部はそれぞれ連通しており、
前記第２の空所部は、
前記リテーナの開口部側に開口する第１５の開口部と、前記リテーナの側壁部内面側に開口する第１６の開口部と、前記引張りばねの配置側に開口する第１７の開口部とを備え、前記１５、１６及び１７の開口部はそれぞれ連通していることを特徴とする引張りばね位置決め装置。
【請求項２４】
請求項１乃至２３のいずれか一項に記載の引張りばね位置決め装置において、
前記引張りばね位置決め装置は、樹脂又は金属で形成されていることを特徴とする引張りばね位置決め装置。  
【請求項２５】
請求項１乃至２４のいずれか一項に記載の引張りばね位置決め装置において、
前記シャフトの所望の部分は、該シャフトのほぼ中央部であることを特徴とする引張りばね位置決め装置。  
【請求項２６】
請求項５乃至２５のいずれか一項に記載の引張りばね位置決め装置において、
前記リベットの所望の部分は、該リベットのほぼ中央部であり、
前記空所部は、中央空所部であることを特徴とする引張りばね位置決め装置。  
【請求項２７】
請求項１８乃至２６のいずれか一項に記載の引張りばね位置決め装置において、
前記リテーナの側壁部間の所望の部分は、該側壁間のほぼ中央であることを特徴とする引張りばね位置決め装置。
【請求項２８】
請求項１乃至２７に記載の引張りばね位置決め装置を備えるワイパーアーム。
【発明の詳細な説明】
【技術分野】
【０００１】
本発明は、ワイパーアーム用の引張りばね位置決め装置に関するものであり、このような装置を備えるワイパーアームに関する。
【背景技術】
【０００２】
一般に、車両ワイパーは、ウィンドガラスなどの被払拭面を払拭するワイパーブレードと、該ワイパーブレードに連結されたワイパーアームとを備えており、ワイパーブレードは、ワイパーアームを介して駆動モーターにより、被払拭面に押圧された状態で被払拭面に沿って往復運動され、ブレードラバーにより被払拭面を払拭している。
【０００３】
図１−Ａ及び図１−Ｂに、この種の車両ワイパーに用いられているワイパーアームの一実施例を示している。図示されているワイパーアーム１は、アームピース２を介してワイパーブレード（図示せず）に連結されるリテーナ３と、リテーナ３に回動可能に連結されたアームヘッド５とを備えている。リテーナ３は、軸部４を介してアームヘッド５に連結されており、リテーナ３とアームヘッド５は、軸部４を中心にして互いに対して回動できるようになっている。
【０００４】
図１−Ｃ及び図１−Ｄには、リテーナ内部構造が示されている。リテーナ３は、断面コ字形をしており、その内部に長手方向に沿って引張りばね８が配置されている。引張りばね８は、そのばね力により、アームヘッド５に対してリテーナ３を回動方向に付勢しワイパーブレードへの押し圧を発生させる。引張りばね８のアームヘッド５側の端部である第１端部１４はフック状になっており、連結部材１０を介してアームヘッド５に設けられたピン１２と連結されている。引張りばね８の他端である第２端部１６もフック状になっており、これをリテーナ３内部に設けられたリベット６に引掛けられている。
【発明の開示】
【発明が解決しようとする課題】
【０００５】
しかしながら、従来のワイパーアームにおいては、組み付けラインにおいて、引張りばねをリベットに引掛けた後、ドライバ等で引張りばねをリベットの所望の位置（例えば中央）に寄せる作業が発生し、生産性の低下という問題があった。
【０００６】
また、リベットの左右方向、すなわちリテーナの側壁間の方向の規制がないので、使用時に引張りばねが左右に片寄り、引張りばねとリテーナとが干渉してしまうという問題があった。
【０００７】
本発明は、このような問題点に着目してなされたもので、引張りばねのリベットへの組み付け作業の工程が少なく、引張りばねとリテーナとの干渉を防止でき、ワイパーアーム用の引張りばね位置決め装置、及びこのような装置を備えるワイパーアームを提供することを目的とする。  
【課題を解決するための手段】
【０００８】
本発明は、アームピースを介してワイパーブレードに連結されるリテーナを、該リテーナに回動可能に連結されたアームヘッドに対して回動方向に付勢させて、ワイパーブレードの被払拭面への押圧力を発生させる引張りばねを、リテーナに対して固定状態に配置可能なシャフト部に引掛ける位置を決める引張りばね位置決め装置において、シャフト部又はリテーナの少なくとも一方に着脱可能に取り付けられる取付け部と、シャフト部又はリテーナの少なくとも一方に、取付け部が取り付けられたときに、引張りばねの一端をシャフト部の所望の部分に案内可能な案内部とを備えたことを特徴とする引張りばね位置決め装置を提供するものである。
【０００９】
リテーナは、背壁部と、該背壁部の両端のそれぞれから延在する側壁とを備えて、開口部を有する断面コ字形となっており、シャフト部は、リテーナの側壁に対向して形成された孔を通して固定されたリベットであり、これによって、リベットは記リテーナの長手方向に対して交差する方向に沿って延びており、取付け部は、リベットを挿入可能な挿入部を備えているようにしてもよい。
【００１０】
リテーナは、背壁部と、該背壁部の両端のそれぞれから延在する側壁とを備えて、開口部を有する断面コ字形となっており、引張りばね位置決め装置は、リテーナの側壁部内面と対向する、互いに離間した一対の側壁部と、一対の側壁部を連結するシャフト部とを備え、案内部は、シャフト部の周囲で一対の側壁部内面間に形成された空間部を備えており、引張りばねの一端は、空間部を介して、シャフト部の所望の部分に引掛けることが可能となっており、取付け部は、リテーナの側壁部内面に係合するに係合部を備えており、該係合部をリテーナの側壁部内面に係合することによって、該引張りばね保持装置をリテーナの内側に固定することができ、これによって、シャフト部をリテーナに対して固定状態に配置できるようにしてもよい。
【発明の効果】
【００１１】
本発明によれば、引張りばねをリベットに引掛ける際、引張りばねをリベットの所望の部分（例えば中央）に引掛けることが可能となり、所望の部分（例えば中央）に寄せる作業が廃止できるので、組み付け作業を簡略化できる、という効果を奏することができる。
【００１２】
また、本発明によれば、引張りばねのリベットへの組み付け後、外力等での引張りばねの移動がなくなり、恒久的にリテーナとの干渉もなくなる、という効果を奏することができる。
【実施例】
【００１３】
以下、添付図面を参照して、本発明の各実施態様を説明する。なお、図１−A乃至図１−Eに示した従来技術と同様な構成には同じ符号を付して、その説明を簡略あるいは省略する。図１−Bにおいて、上側である断面コ字形のリテーナ３の背面の方向を上、反対の方向を下とする。以下の説明においても、同様とする。
【００１４】
図２は、本実施形態における引張りばね位置決め装置３０を示す。リテーナ３は、背壁部１８と、該背壁部の両端のそれぞれから延在する側壁部２０とを備えて、下方に向けて開口するリテーナ開口部２２を有する断面コ字形となっている。
【００１５】
引張りばね位置決め装置３０は、引張りばね８を、リテーナ３に対して固定状態に配置可能なシャフト部に引掛ける位置を決めるようになっている。引張りばね８は、アームピース２を介してワイパーブレードに連結されるリテーナ３を、該リテーナ３に回動可能に連結されたアームヘッド５に対して回動方向に付勢させて、ワイパーブレードの被払拭面への押圧力を発生させるためのものである。引張りばね位置決め装置は、シャフト部又はリテーナ３の少なくとも一方に着脱可能に取り付けられる取付け部と、シャフト部又はリテーナ３の少なくとも一方に、取付け部が取り付けられたときに、引張りばね８の一端をシャフト部のほぼ中央部に案内可能な案内部３６とを備えている。
【００１６】
図３は、第一の実施例の引張りばね位置決め装置３０の詳細を示す。図３−Aは、第一実施例の引張りばね位置決め装置の正面図、図３−Bは側面図、図３−Cは底面図である。
引張りばね位置決め装置３０は、断面コ字形のリテーナ３の内側に収めることができるような矩形体の形状をしており、引張りばね８と対向して配置される矩形状の引張りばね側壁部３０−１と、該引張りばね側壁部３０−１に対して反対側すなわちアームピース２側に配置される矩形状のアームピース側壁部３０−２と、リテーナ３の背壁部１８と対向して配置される矩形状の上壁部３０−３と、リテーナ開口部２２側に配置される矩形状の下壁部３０−４と、リテーナ３の一方の側壁部２０と対向して配置される矩形状の側壁部３０−５と、リテーナ３の他方の側壁部２０と対向して配置される矩形状の側壁部３０−６とを備えている。
【００１７】
本実施例では、シャフト部は、リテーナ３の側壁部２０に対向して形成された孔を通して固定されたリベット６であり、これによって、リベット６は、リテーナ３の長手方向に対して交差する方向に沿って延びている。
【００１８】
取付け部は、リベット６を挿入可能な挿入部を備えている。該挿入部は、リベット６を保持するためのリベット保持孔３２と、リベット６をリベット保持孔３２に案内させるためのリベット案内孔３４とを備えている。
【００１９】
リベット保持孔３２は、リベット６の長手方向に沿って側壁部３０−５及び３０−６を貫通して延びており、その両端に、リテーナ３の側壁部２０に形成された孔に対向して配置可能な第１の開口部４２及び第２の開口部４４を有している。すなわち、第１の開口部４２は側壁部３０−５に形成されており、第２の開口部４４は側壁部３０−６に形成されている。リベット案内孔３４は、リベット６の長手方向に沿って側壁部３０−５及び３０−６を貫通して延びていると共に、リベット６の長手方向に対して交差する方向に沿って延びて、外部とリベット保持孔３２とを連通している。このようにして、リベット案内孔３４は、３つの開口部、すなわち、第３の開口部４６と、第４の開口部４８と、第５の開口部５０とを有している。第３の開口部４６は、引張りばね８の配置側のばね側壁部３０−１に形成されており、リベット６を嵌入できるように該リベット６の長手方向に沿って開口している。第４の開口部４８は、リテーナ３の一方の側壁部に沿って開口するように、側壁部３０−５に形成されており、第１の開口部４２に連通している。第５の開口部５０は、リテーナ３の他方の側壁部に沿って開口するように、側壁部３０−６に形成されており、第２の開口部４４に連通している。
【００２０】
リベット保持孔３２は、リベット６のほぼ中央部（リベットの所望の部分）を保持する中央空所部４０（空所部）を有している。
【００２１】
引張りばね８の一端をリベット６のほぼ中央部に案内可能な案内部３６は、上壁部３０−３と下壁部３０−４を貫通する、中央空所部４０を通って上下方向に延びる引張りばね案内孔３８を備えている。引張りばね案内孔３８は、図３Ｃで見て、側壁部３０−５と３０−６とのほぼ中間位置に形成されており、リベット保持孔３２にリベット６が配置されたとき、リベット６のほぼ中央部を、引張りばね案内孔３８を通して目視できるようになっている。なお、引張りばね案内孔３８は、上壁部３０−３と下壁部３０−４を貫通して延在させる必要はなく、下壁部３０−４から少なくとも中央空所部４０まで延在していればよい。引張りばね案内孔３８を通して、リベット６のほぼ中央部を目視できるようにすればよく、上壁部３０−３まで延在させる必要はない。
【００２２】
引張りばね案内孔３８は、中央空所部４０を介して、リベット保持孔３２とリベット案内孔３４とに対して交差する方向に延びており、リテーナ開口部２２に向けて開口する第６の開口部５２と、リテーナ３の背壁部１８と対向する第７の開口部５４とを備えている。第６の開口部５２は下壁部３０−４に形成されており、第７の開口部５４は上壁部３０−３に形成されている。引張りばね案内孔３８は、さらに、引張りばね８の配置側に、第３の開口部４６と交差する第８の開口部５６を備えている。第８の開口部５６は、ばね側壁部３０−１に形成されており、第６の開口部５２から、第７の開口部５４まで延在している。引張りばね案内孔３８は、さらに、中央空所部４０を越えて第８の開口部５６とは反対側に、リテーナ３の長手方向に沿って延びており、図３Ｃで見て、延長孔３８’を備えている。延長孔３８’は、第６の開口部５２と第７の開口部５４を部分的に形成している。このようにして、中央空所部４０を越えた延長孔３８’を形成することにより、引張りばね８のフック状の第２端部１６を、延長孔３８’を通して中央空所部４０に案内するとき、第２端部１６の先端がリベット６を越して、該第２端部１６の先端をリベット６と背壁部１８との間に配置できることから、フック状の第２端部１６をリベット６のほぼ中央部に容易に引っ掛けることが可能となる。
【００２３】
リベット保持孔３２は、リベット６の直径と略等しく、リベット案内孔３４は、リベット６の直径よりも小さくなっている。引張りばね位置決め装置３０は、弾性体、好ましくは樹脂から形成されている。引張りばね位置決め装置３０を、リテーナ３内のリベット６に取り付けるには、リベット案内孔３４を押し広げて、リベット６を通過させ、リベット６をリベット保持孔３２に嵌め込む。具体的には、リベット６をリベット案内孔３４を通すとき、リベット６の長手方向のほぼ全体が第３の開口部４６を通り、リベット６の両端側が、第４の開口部４８と第５の開口部５０とを通りながら、引張りばね位置決め装置３０は、リベット６に向けて押圧されながら移動する。このようにして、リベット６をリベット案内孔３４を通すとき、引張りばね位置決め装置３０の弾性力に抗して、引張りばね位置決め装置３０はリベット６に向けて押圧され、リベット６によりリベット案内孔３４が押し広げられて、リベット６が通過する。リベット６がリベット保持孔３２に嵌め込まれたとき、押し広げられたリベット案内孔３４は、弾性作用によりリベット６の直径よりも小さい状態に復帰し、引張りばね位置決め装置３０の抜けが防止される。
【００２４】
リベット６がリベット保持孔３２に嵌め込まれたとき、リベット６は、リベット保持孔３２の第１開口部４２及び第２の開口部４４を通って延在する状態となる。このとき、リベット６のほぼ中央部は、リベット保持孔３２の中央空所部４０に位置決めされ、リベット６のほぼ中央部は、第６の開口部５２を介して目視可能な状態となる。そして、引張りばね８のフック状の第２端部１６を第６の開口部５２を介して、中央空所部４０に位置するリベット６の中央付近に引掛けることにより、引張りばね８をリベット６の中央に引掛けることができる。
【００２５】
引張りばね位置決め装置３０は、リベット６に引張りばね８の一端を装着した後、リベット６から取り外すこともできるし、そのまま装着して使用することもできる。このように恒久的に装着することにより、引張りばね８の引張り力を越えた外力が、該引張りばね８のフック状の第２端部１６に作用したとしても、第２端部１６は引張りばね案内孔３８を形成する内壁部に支持された状態となって、外力等での引張りばね８の移動がなくなり、リテーナとの干渉もなくなる。
【００２６】
図４は、第二の実施例の引張りばね位置決め装置３０の詳細を示す。図４−Aは、第二実施例の引張りばね位置決め装置の正面図、図４−Bは側面図、図４−Cは上面図である。
本実施例では、シャフト部は、リテーナ３の側壁部２０に対向して形成された孔を通して固定されたリベット６であり、これによって、リベット６は、リテーナ３の長手方向に対して交差する方向に沿って延びた状態となっている。  
【００２７】
引張りばね位置決め装置３０は、第一の実施例と同様に、リベット６に着脱可能に取り付けられる取付け部と、リベット６に取付け部が取り付けられたときに、引張りばね８の一端をシャフト部のほぼ中央部（所望の部分）に案内可能な案内部とを備えている。
【００２８】
引張りばね位置決め装置３０は、リテーナ開口部２２側に配置される上面部６１と、リテーナ３の一方の側壁部２０に沿って前記上面部の一端部から延びる第１の側面部５８と、前記リテーナの他方の側壁部２０に沿って前記上面部６１の他端から延びる第２の側面部６０とを備えて、断面コの字型をしている。
【００２９】
取付け部は、リベット６に挿入可能な挿入部を備えている。挿入部は、リベット６を保持するためのリベット保持孔３２’と、リベット６をリベット保持孔３２’に案内させるためのリベット案内孔３４’とを備えている。
【００３０】
リベット保持孔３２’は、リテーナ３の一方の側壁部２０に形成された孔に対向して配置可能な、第１の側面部５８に貫通して形成された第１の保持孔６２と、リテーナ３の他方の側壁部２０に形成された孔に対向して配置可能な、第２の側面部６０に貫通して形成された第２の保持孔６４とを備えている。第１の保持孔６２と第２の保持孔６４は、互いに整合する位置に形成されており、断面コの字型によって形成される内部空間を介して連通している。
【００３１】
リベット案内孔３４’は、第１の案内孔６６と、第２の案内孔６８とを備えている。第１の案内孔６６は、第１の側面部５８に貫通して形成されており、引張りばね８の配置側の外部から第１の保持孔６２まで延び、該第１の保持孔６２にリベット６を通すことができるようになっている。
第２の案内孔６８は、第２の側面部６０に貫通して形成されており、引張りばね８の配置側の外部から第２の保持孔６４まで延び、該第２の保持孔６４にリベット６を通すことができるようになっている。第１の案内孔６６と第２の案内孔６８は、互いに整合する位置に形成されており、断面コの字型によって形成される内部空間を介して連通している。
【００３２】
案内部は、上面部６１に貫通して形成された引張りばね案内スロット７０を備えている。引張りばね案内スロット７０は、第１の側面部５８と第２の側面部６０とのほぼ中間部分（所望の部分）に形成されており、上面部６１の引張りばね８の配置側端部６１ａから、上面部の反対側端部６１ｂの手前まで延びている。引張りばね案内スロット７０は、図４−Ｃで見て、第１の保持孔６２及び第２の保持孔６４を越えて上面部の反対側端部６１ｂまで延びる延長スロット７０’を備えている。このようにして、リベット６が、第１及び第２の案内孔６６、６８を通して第１及び第２の保持孔６２、６４に保持されたときに、引張りばね案内スロット７０を通してリベット６のほぼ中央部を臨むことができる。
【００３３】
リベット保持孔３２’は、リベット６の直径と略等しく、リベット案内孔３４’は、リベット６の直径よりも小さい。引張りばね位置決め装置３０は、弾性材料好ましくは金属から形成されている。該引張りばね位置決め装置３０を、リテーナ３内のリベット６に取り付けるには、リベット案内孔３４を広げて、リベット６を通過させ、リベット６をリベット保持孔３２に嵌め込む。そして、引張りばね８の一端を引張りばね案内スロット７０を介して、リベット６の中央付近に引掛けることにより、引張りばね８をリベット６の中央に引掛けることができる。引張りばね位置決め装置３０は、リベット６に引張りばね８の一端を装着した後、リベット６から取り外すこともできるし、そのまま装着して使用することもできる。恒久的に装着することにより、外力等での引張りばね８の移動がなくなり、リテーナとの干渉もなくなる。
【００３４】
図５は、第三の実施例の引張りばね位置決め装置３０の詳細を示す。図５−Aは、第三実施例の引張りばね位置決め装置の正面図、図５−Bは側面図、図５−Cは底面図である。
第三実施例の引張りばね位置決め装置は、第一実施例の装置と比較して、リベット案内孔３４がない構成となっている。本実施例では、シャフト部は、リテーナ３の側壁部２０に対向して形成された孔を通して固定されたリベット６であり、これによって、リベット６は、リテーナ３の長手方向に対して交差する方向に沿って延びている。
【００３５】
第三実施例の引張りばね位置決め装置３０は、第一の実施例と同様に、リベット６に着脱可能に取り付けられる取付け部と、リベット６に取付け部が取り付けられたときに、引張りばね８の一端をシャフト部のほぼ中央部（所望の部分）に案内可能な案内部とを備えている。
【００３６】
該引張りばね位置決め装置３０は、リテーナ３の内側に収まる寸法の、矩形体の形状をしており、引張りばね８と対向して配置される矩形状の引張りばねばね側壁部３０−１と、該引張りばね側壁部３０−１に対して反対側すなわちアームピース２側に配置される矩形状のアームピース側壁部３０−２と、リテーナ３の背壁部１８と対向して配置される矩形状の上壁部３０−３と、リテーナ開口部２２側に配置される矩形状の下壁部３０−４と、リテーナ３の一方の側壁部２０と対向して配置される矩形状の側壁部３０−５と、リテーナ３の他方の側壁部２０と対向して配置される矩形状の側壁部３０−６とを備えている。
【００３７】
取付け部は、リベット６を挿入可能な挿入部を備えている。該挿入部は、リベット６を保持するためのリベット保持孔３２を備えている。リベット保持孔３２は、リベット６の長手方向に沿って延びて側壁部３０−５と側壁部３０−６を貫通しており、その両端に、リテーナ３の側壁部２０に形成された孔に対向して配置可能な第１及び第２の開口部４２、４４を有している。すなわち、第１の開口部４２は側壁部３０−５に形成されており、第２の開口部４４は側壁部３０−６に形成されている。リベット６を第１及び第２の開口部４２、４４を通すことによって、リベット６をリベット保持孔３２に配置することができる。リベット保持孔３２は、リベット６のほぼ中央部を保持する中央空所部４０を有している。  
【００３８】
引張りばね８の一端をリベット６のほぼ中央部（所望の部分）に案内可能な案内部３６は、上壁部３０−３と下壁部３０−４を貫通する、中央空所部４０を通って上下方向に延びる引張りばね案内孔３８を備えている。引張りばね案内孔３８は、図５Ｃで見て、側壁部３０−５と３０−６とのほぼ中間位置に形成されており、リベット保持孔３２にリベット６が配置されたとき、リベット６のほぼ中央部を、引張りばね案内孔３８を通して目視できるようになっている。なお、引張りばね案内孔３８は、上壁部３０−３と下壁部３０−４を貫通して延在させる必要はなく、下壁部３０−４から少なくとも中央空所部４０まで延在していればよい。引張りばね案内孔３８を通して、リベット６のほぼ中央部を目視できるようにすればよく、上壁部３０−３まで延在させる必要はない。
【００３９】
引張りばね案内孔３８は、中央空所部４０を介して、リベット保持孔３２に対して交差する方向に延びており、リテーナ開口部２２に向けて開口する第６の開口部５２と、リテーナ３の背壁部１８と対向する第７の開口部５４とを備えている。
第６の開口部５２は下壁部３０−４に形成されており、第７の開口部５４は上壁部３０−３に形成されている。引張りばね案内孔３８は、また、引張りばね８配置側に開口する第８の開口部５６を備えている。第８の開口部５６は、ばね側壁部３０−１に形成されており、第６の開口部５２から、第７の開口部５４まで延在している。引張りばね案内孔３８は、さらに、中央空所部４０を越えて前記第８の開口部５６とは反対側に、リテーナ３の長手方向に沿って延びており、図５Ｃで見て、延長孔３８’を備えている。延長孔３８’は、第６の開口部５２と第７の開口部５４を部分的に形成している。
【００４０】
リベット保持孔３２は、リベット６の直径と略等しく、引張りばね位置決め装置３０は、弾性材料、例えば、樹脂又は金属から形成されている。もっとも、本実施例ではリベット案内孔３４が形成されていないため、引張りばね位置決め装置３０を弾性材料から形成する必要はない。
【００４１】
引張りばね位置決め装置３０を、リテーナ３内のリベット６に取り付けるには、リテーナ３の側壁部２０に対向して形成される孔と、第１及び第２の開口部４２、４４をそれぞれ位置合わせして、リベット６をそれらに通す。そして、引張りばね８の一端を第６の開口部５２を介して、リベット６の中央付近に引掛けることにより、引張りばね８をリベット６の中央に引掛けることができる。引張りばね位置決め装置３０は、リベット６に引張りばね８の一端を装着した後、そのまま装着して使用する。このように、恒久的に装着することにより、外力等での引張りばね８の移動がなくなり、リテーナとの干渉もなくなる。
【００４２】
図６は、第四の実施例の引張りばね位置決め装置３０の詳細を示す。図６−Aは、第四実施例の引張りばね位置決め装置の正面図、図６−Bは側面図、図６−Cは底面図である。
【００４３】
引張りばね位置決め装置３０は、リテーナ３に着脱可能に取り付けられる取付け部と、リテーナ３に取付け部が取り付けられたときに、引張りばね８の一端をシャフト部７４のほぼ中央部に案内可能な案内部３６とを備えている。
【００４４】
引張りばね位置決め装置３０は、リテーナ３の側壁部２０内面と対向する、互いに離間した一対の側壁部７２、７３と、該一対の側壁部７２、７３を連結するシャフト部７４と、引張りばね８側とは反対側に設けられた、該一対の側壁部７２、７３を連結する連結部７５とを備えており、これらが一体的に成形されてている。このように一体的に形成することにより、引張りばね位置決め装置３０は、断面コ字形のリテーナ３の内側に収めることができるような概ね矩形体の形状をしている。引張りばね位置決め装置３０は、引張りばね８と対向して配置されるばね側壁面３０−１と、引張りばね側壁面３０−１に対して反対側すなわちアームピース２側に配置されるアームピース側壁面３０−２と、リテーナ３の背壁部１８と対向して配置される上壁面３０−３と、リテーナ開口部２２側に配置される下壁面３０−４と、リテーナ３の一方の側壁部２０と対向して配置される側壁面３０−５と、リテーナ３の他方の側壁部２０と対向して配置される側壁面３０−６とを備えている。なお、連結部７５は必ずしも設ける必要はなく、十分な強度を確保することにより、一対の側壁部７２、７３をシャフト部７４だけで連結するようにしてもよい。
【００４５】
案内部３６は、シャフト部７４の周囲で一対の側壁部７２、７３内面間に形成された空間部７６から構成されている。空間部７６は、図６−Ｃで見て、シャフト部７４の長手方向に対して交差方向に延びており、また、図６−Ａで見て、上下方向に延びている。引張りばね８の一端は、空間部７６を介して、シャフト部７４のほぼ中央部に引掛けることが可能となっている。
【００４６】
シャフト部７４は、リテーナ３の長手方向に対して交差方向に延びており、引掛け部８０と、拡径部８２とを有している。引掛け部８０は、リテーナ３の側壁部７２、７３間のほぼ中央（所望の部分）に設けられている。拡径部８２は、引掛け部８０の両側に設けられ該引掛け部８０より拡大した径方向寸法を有しており、一対の側壁部７２、７３の内面に連結されている。引張りばね８の一端は、空間部７６を介して、シャフト部７４の引掛け部８０に引掛けることが可能となっている。拡径部８２が設けられていることにより、引張りばね８の一端は、シャフト部７４のほぼ中央部としての引掛け部８０に安定的に位置決めされる。
【００４７】
空間部７６は、リテーナ３の長手方向に沿って延びてリテーナ開口部２２側の下壁面３０−４に形成された第９の開口部８４と、引張りばね８と対向する側のばね側壁面３０−１に形成された第１０の開口部８６と、リテーナ３の長手方向に沿って延びてリテーナ３の背壁部１８側の上壁面３０−３に形成された第１１の開口部８８とを備えている。引張りばね８の一端を、第９の開口部８４を介してシャフト部７４の引掛け部８０に引掛けることができる。
【００４８】
取付け部は、リテーナ３の側壁部２０内面に係合するに係合部７８を備えている。係合部７８をリテーナ３の側壁部２０内面に係合することによって、引張りばね保持装置３０をリテーナ３の内側に固定することができ、これによって、シャフト部７４をリテーナ３に対して固定状態に配置できる。係合部７８は、凸状の形状をしており、側壁面３０−５と側壁面３０−６に形成されている。係合部７８は、シャフト部７４と同心状になるように整合して設けられている。リテーナ３の側壁部７２、７３内面には、凸状の係合部７８が嵌入する凹状の係合受け部が形成されている。係合部７８を凹状の形状にし、係合受け部を凸状の形状にするようにしてもよい。
【００４９】
一対の側壁部である第１及び第２の側壁部７２、７３は、それぞれ、第１及び第２の弾性部９０、９２を有しており、該弾性部９０、９２を押圧して引張りばね位置決め装置３０をその幅方向に縮ませて、係合部７８をリテーナ３の側壁部２０内面に係合可能である。弾性部９０、９２は、２つの係合部７８の近接位置にそれぞれ設けられた第１及び第２の空所部９４、９６からなる。第１の空所部９４は、リテーナ開口部２２側に開口する第１２の開口部９８と、リテーナ３の側壁部２０内面側に開口する第１３の開口部１００と、引張りばね８の配置側に開口する第１４の開口部１０２とを備え、１２、１３及び１４の開口部９８、１００、１０２はそれぞれ連通している。第２の空所部９６は、リテーナ開口部２２側に開口する第１５の開口部１０４と、リテーナの側壁部２０内面側に開口する第１６の開口部１０６と、引張りばね８の配置側に開口する第１７の開口部１０８とを備え、１５、１６及び１７の開口部１０４、１０６、１０８はそれぞれ連通している。
【００５０】
引張りばね位置決め装置３０は樹脂又は金属インサート成形で形成されている。引張りばね位置決め装置３０を、リテーナ３内に取り付けるには、第１及び第２の弾性部を押圧して、第１及び第２の空所部９４、９６を撓ませることにより、引張りばね位置決め装置を幅方向に縮ませる。そして、その状態で、上壁面３０−３がリテーナ３の背壁部１８と対向して配置されるように、引張りばね位置決め装置３０をリテーナの開口部２２を介してリテーナ３内に挿入し、係合部７８をリテーナ３の係合受け部に嵌め込む。これにより、引張りばね位置決め装置３０を、リテーナ３の内側に固定状態に配置することができる。さらに、引張りばね８の一端を第９の開口部８４を介して、引掛け部８０に引掛けることにより、引張りばね８をシャフト部７４の中央に引掛けることができる。引張りばね位置決め装置３０は、引掛け部８０に引張りばね８の一端を装着した後、そのまま装着して使用する。このように、恒久的に装着することにより、外力等での引張りばね８の移動がなくなり、リテーナとの干渉もなくなる。
【００５１】
なお、リベットの両側に一対の半湾曲状のキャップを着脱自在に取り付けて、キャップ間にリベットのほぼ中央部を露出させるようにしてもよい。この場合、コ字状のアームによってキャップを連結して、該一対のキャップをリベットに同時に取り付けることができるようにしてもよい。
【００５２】
図７は、リテーナ３が湾曲した形状のワイパーアームを示している。この形態においては、引張りばね８の第２端部１６が引掛けられる所望の位置は、リベット６のほぼ中央部とはならない。この形態のリテーナ３に適用される引張りばね位置決め装置３０においては、案内部３６及び引張りばね案内スロット７０は引張りばね８の一端をリベット６の所望の位置に案内する位置に形成される。また、同様に、引掛け部８０が設けられる所望の位置は、リテーナ３の側壁部７２、７３間のほぼ中央とはならない。引掛け部８０は、引張りばね８の一端を固定したい、リテーナ３の側壁部７２、７３間の所望の位置に設けられる。所望の位置は、リテーナ３、引張りばね８の形状等により決定される。
【００５３】
本実施形態におけるワイパーアームは、その内側に、上述した第一実施例乃至第四実施例の引張りばね位置決め装置３０のいずれかを備えることができる。
【００５４】
以上のように、本実施形態によれば、引張りばねをリベットに引掛ける際、引張りばねをリベットの所望の位置（例えば中央）に引掛けることが可能となり、所望の位置（例えば中央）に寄せる作業が廃止できるので、組み付け作業を簡略化できる、という効果を奏することができる。
【００５５】
また、本実施形態によれば、引張りばねのリベットへの組み付け後、外力等での引張りばねの移動がなくなり、恒久的にリテーナとの干渉もなくなる、という効果を奏することができる。
【図面の簡単な説明】
【００５６】
【図１−Ａ】ワイパーアームの上面図である。
【図１−Ｂ】ワイパーアームの側面図である。
【図１−Ｃ】ワイパーアームの一部の側面図である。
【図１−Ｄ】ワイパーアームの一部の底面図である。
【図１−Ｅ】図１−Ｄの部分拡大図である。
【図２】本願発明に係る引張りばね位置決め装置を備えたワイパーアームの部分底面図である。
【図３−Ａ】第一実施例の引張りばね位置決め装置の正面図である。
【図３−Ｂ】同じく、引張りばね位置決め装置の側面図である。
【図３−Ｃ】同じく、引張りばね位置決め装置の底面図である。
【図４−Ａ】第一実施例の変形例の引張りばね位置決め装置の正面図である。
【図４−Ｂ】同じく、引張りばね位置決め装置の側面図である。
【図４−Ｃ】同じく、引張りばね位置決め装置の上面図である。
【図５−Ａ】第二実施例の引張りばね位置決め装置の正面図である。
【図５−Ｂ】同じく、引張りばね位置決め装置の側面図である。
【図５−Ｃ】同じく、引張りばね位置決め装置の底面図である。
【図６−Ａ】第三実施例の引張りばね位置決め装置の正面図である。
【図６−Ｂ】同じく、引張りばね位置決め装置の側面図である。
【図６−Ｃ】同じく、引張りばね位置決め装置の底面図である。
【図７】変形例のリテーナの底面図である。
【符号の説明】
【００５７】
１        ワイパーアーム              ２        アームピース
３        リテーナ                    ４        軸部                  
５        アームヘッド                ６        リベット
８        引張りばね                  １０      連結部材              
１２      ピン                        １４      第１端部
１６      第２端部                    １８      背壁部
２０      側壁部                      ２２      リテーナ開口部
３０      引張りばね位置決め装置      ３０−１  引張りばね側壁部
３０−２  アームピース側壁部          ３０−３  上壁部
３０−４  下壁部                      ３０−５  側壁部
３０−６  側壁部                      ３２      リベット保持孔
３２’    リベット保持孔              ３４      リベット案内孔
３４’    リベット案内孔              ３６      案内部
３８      引張りばね案内孔            ３８’    延長孔
４０      中央空所部                  ４２      第１の開口部                  ４４      第２の開口部                ４６      第３の開口部                
４８      第４の開口部                ５０      第５の開口部              
５２      第６の開口部                ５４      第７の開口部              
５６      第８の開口部                ５８      第１の側面部              
６０      第２の側面部                ６１      上面部                      
６１ａ    配置側端部                  ６１ｂ    反対側端部                
６２      第１の保持孔                ６４      第２の保持孔              
６６      第１の案内孔                ６８      第２の案内孔                
７０      引張りばね案内スロット      ７０’    延長スロット                
７２      第１の側壁部                ７３      第２の側壁部            
７４      シャフト部                  ７６      空間部          
７８      係合部                      ８０      引掛け部                  
８２      拡径部                      ８４      第９の開口部              
８６      第１０の開口部              ８８      第１１の開口部            
９０      第１の弾性体                ９２      第２の弾性体              
９４      第１の空所部                ９６      第２の空所部              
９８      第１２の開口部            １００      第１３の開口部          
１０２      第１４の開口部            １０４      第１５の開口部          
１０６      第１６の開口部            １０８      第１７の開口部        
【図１−Ａ】
2008001191.tif 000003
【図１−Ｂ】
2008001191.tif 000004
【図１−Ｃ】
2008001191.tif 000005
【図１−Ｄ】
2008001191.tif 000006
【図１−Ｅ】
2008001191.tif 000007
【図２】
2008001191.tif 000008
【図３−Ａ】
2008001191.tif 000009
【図３−Ｂ】
2008001191.tif 000010
【図３−Ｃ】
2008001191.tif 000011
【図４−Ａ】
2008001191.tif 000012
【図４−Ｂ】
2008001191.tif 000013
【図４−Ｃ】
2008001191.tif 000014
【図５−Ａ】
2008001191.tif 000015
【図５−Ｂ】
2008001191.tif 000016
【図５−Ｃ】
2008001191.tif 000017
【図６−Ａ】
2008001191.tif 000018
【図６−Ｂ】
2008001191.tif 000019
【図６−Ｃ】
2008001191.tif 000020
【図７】
2008001191.tif 000021